(57)【特許請求の範囲】
【請求項１】
男性によって使用される湿気を吸収するためのワンピース衛生バンド（１００）において、前記衛生バンドが、吸収材を含み、かつ、前記衛生バンドの第１の部分（１０６）と第２の部分（１０８）との間の相互接続を可能にするために、前記男性の性器（１１６）の周りに配置されるべく前記衛生バンドのループ（１１４）が形成されるように構成された、前記衛生バンドの前記第１の部分における少なくとも１つの相互接続手段（１０５）を有し、前記衛生バンドの少なくとも１つのセグメント（１１２）が、前記男性の臀部（１２０）間に配置されており、前記衛生バンドの前記少なくとも１つのセグメント（１１２）の少なくとも一部（１１１）が、前記衛生バンドの前記少なくとも１つのセグメントの一部を引きちぎることによって前記衛生バンドの長さ（１０１）を調節できるように構成された少なくとも１つのミシン目（１１０）を備えていることを特徴とする、ワンピース衛生バンド（１００）。
【請求項２】
請求項１に記載のワンピース衛生バンド（１００）において、前記衛生バンドの前記少なくとも１つのセグメント（１１２）が、前記衛生バンドの前記ループ（１１４）とは別である前記衛生バンドの少なくとも１つのセグメントであることを特徴とする、ワンピース衛生バンド（１００）。
【請求項３】
請求項１または２に記載のワンピース衛生バンド（１００）において、前記衛生バンドの前記第１の部分（１０６）が、前記衛生バンドの第１の端部（１０７）に設けられていることを特徴とする、ワンピース衛生バンド（１００）。
【請求項４】
請求項１〜３の何れか１項に記載のワンピース衛生バンド（１００）において、前記少なくとも１つの相互接続手段（１０５）が、孔、開口、ループ、またはストラップであることを特徴とする、ワンピース衛生バンド（１００）。
【請求項５】
請求項１〜４のいずれか１項に記載のワンピース衛生バンド（１００）において、前記衛生バンドの前記少なくとも１つのセグメント（１１２）が、前記男性の前記臀部（１２０）間に前記衛生バンドの前記少なくとも１つのセグメントを固定するための接着剤を備えていることを特徴とする、ワンピース衛生バンド（１００）。
【請求項６】
請求項１〜５のいずれか１項に記載のワンピース衛生バンド（１００）において、前記吸収材が、セルロース、セルロース毛羽、木材毛羽、または綿、またはこれらの組み合わせから作られることを特徴とする、ワンピース衛生バンド（１００）。
【請求項７】
請求項１〜６のいずれか１項に記載のワンピース衛生バンド（１００）において、医薬品および／または消臭剤をさらに含むことを特徴とする、ワンピース衛生バンド（１００）。
【請求項８】
請求項１〜７のいずれか１項に記載のワンピース衛生バンド（１００）において、前記衛生バンドの幅（１０２）が、前記衛生バンドの厚さよりも大きいことを特徴とする、ワンピース衛生バンド（１００）。
【請求項９】
請求項１〜８のいずれか１項に記載のワンピース衛生バンド（１００）において、前記衛生バンドの長さ（１０１）が、４０〜８０ｃｍの範囲内であることを特徴とする、ワンピース衛生バンド（１００）。
【請求項１０】
請求項１〜９のいずれか１項に記載のワンピース衛生バンド（１００）において、前記衛生バンドの幅（１０２）が、０．５〜５ｃｍの範囲内であることを特徴とする、ワンピース衛生バンド（１００）。
【発明の詳細な説明】
【技術分野】
【０００１】
本発明は、医療用、衛生用、および／または審美用の男性用衛生装置に関する。
【背景技術】
【０００２】
どの年齢の男性も、股またはその周囲に炎症および／または感染が起きることがあり、このような炎症は、鼠径部、（泌尿）生殖器部、大腿部の皮膚のひだ、肛門（肛門周辺部）、および／または臀部間（臀間部）における痒み、灼熱感、および／または疼痛として出現し得る。患部は、剥離、しわ（ｒｉｐｐｌｉｎｇ）、皮膚剥脱、または皮膚のひび割れを伴う赤色、日焼け色、または茶色の部位として大腿部および／または陰嚢側に出現することがあり、一般に不快さや痛みをもたらす。さらに、皮膚からの体液分泌が、感染によって股部で起こり得る。
【０００３】
股部は、多くの場合、密着する汗をかきやすい衣類、例えば、下着および／または局部サポーターストラップによる温かい湿った環境に曝されるであろう。これは、例えば、真菌の増殖に寄与し、股の痒みを引き起こし得る。股の炎症および／または感染の発生を防止するために、例えば、入浴後に完全に乾燥させること、水泳または発汗の直後に乾いた衣類を着ること、他人と衣類やタオルを共有しないこと、運動の直後にシャワーを浴びること、ゆったりとした綿の下着を身に着けること、密着する衣類を着ないこと、および／または抗真菌性、抗菌性粉末を使用すること、および／または鼠径部の軟膏などによって鼠径部を清潔かつ乾燥した状態に保つことが提案されている。
【０００４】
しかしながら、例えば、股の痒みおよび／または股部の不快感を防止するための上記の行為は、面倒で不便となり得る。したがって、股の痒み、炎症、および／または感染の発生をより便利に抑制することが望まれている。
【０００５】
特許文献、米国特許出願公開第２００４／００３０３０７Ａ１号明細書に、陰嚢における湿気を吸収するための男性用の吸収製品が提供されている。この吸収製品は、吸収剤から作られた細長い柔軟パッドを含む。この製品は、陰嚢の後部を包み込む大きさであり、使用者の内腿に配置される。使用者のウエストに巻くためのストラップがパッドの端部に取り付けられているため、パッドが、陰嚢の周りの適切な位置および内腿に配置され維持される。
【０００６】
しかしながら、この製品の構造が、使用者にとって不便で邪魔であるため、この製品に関する問題が存在する。
【発明の概要】
【０００７】
本発明の目的は、上記の問題を軽減すること、ならびに男性の股部に関連した医療用、衛生用、および／または審美用のより便利な装置を提供することにある。
【０００８】
この目的および他の目的は、独立請求項に規定される特徴を有する装置を提供することによって達成される。好ましい実施形態は、従属請求項に規定される。
【０００９】
したがって、本発明の第１の態様によると、男性によって使用される湿気を吸収するワンピース衛生バンドが提供され、この衛生バンドは、吸収材を含む。この衛生バンドは、その第１の部分に少なくとも１つの接続手段を有する。この接続手段は、衛生バンドの第１の部分と第２の部分との間の相互接続を可能にするために、男性の性器の周りに配置される衛生バンドのループが形成されるように構成されている。衛生バンドの少なくとも１つのセグメントは、男性の臀部間に配置されるように構成されている。
【００１０】
したがって、本発明は、泌尿生殖器、肛門周辺部、および／または臀間部における湿気を吸収する男性用のワンピース衛生バンドを提供するという考えに基づいている。男性生殖器の周りに配置される衛生バンドのループが形成され、衛生バンドの少なくとも１つのセグメントが、男性の臀部間に配置されるように構成されている。
【００１１】
本発明の利点は、衛生バンドが、泌尿生殖器、肛門周辺部、および／または臀間部における炎症、湿疹性皮疹、皮膚の発疹、および／または一般的な不快感を予防および／または処置できることである。したがって、衛生バンドの予防的側面として、例えば、上記の部位における痒み、感染、湿疹、および／または痔関連疾患の発生を防止することができる。
【００１２】
本発明の別の利点は、衛生バンドが、泌尿生殖器、肛門周辺部、および／または臀間部における感染を防止および／または処置できることであり、このような感染は、病原体、例えば、ウイルス、細菌、および／または真菌によって引き起こされ得る。したがって、医療的側面では、衛生バンドは、これらの病原体によって引き起こされる疾患を防止することができる。
【００１３】
さらに、衛生バンドは、泌尿生殖器、肛門周辺部、および／または臀間部から湿気を吸収するように構成され、衛生バンドはまた、衛生的側面における利点も提供する。衛生バンドの湿気吸収材は、上記股部からの匂いを軽減できるため、使用者の健康、快適さ、ならびに爽快感、清潔感、および幸福感を増大させる。
【００１４】
本発明の別の利点は、衛生バンドが、男性生殖器間、臀部間の皮膚接触、および／または男性生殖器と股との間の皮膚接触を少なくとも部分的に断つことができることである。言い換えれば、男性用衛生バンドは、陰茎と陰嚢との間、陰嚢と股との間、および／または臀部間の皮膚接触を少なくとも部分的に防止することができる。股部における器官間の皮膚接触を防止することにより、衛生バンドは、泌尿生殖器、肛門周辺部、および／または臀間部における炎症、発疹、および／または不快感を緩和することができる。
【００１５】
本発明のさらなる利点は、衛生バンドが、性器の周りおよび臀部間に容易に配置され、ループが、性器の周りに容易に配置され、衛生バンドの残りの少なくとも１つのセグメントが臀部間に容易に配置されることである。さらに、衛生バンドは、そのループの大きさが容易に調節される。例えば、比較的小さい陰嚢および／または陰茎を有する使用者、比較的小さいループの衛生バンドを形成することができる。対照的に、比較的大きい陰嚢および／または陰茎を有する使用者の場合は、比較的大きいループの衛生バンドを形成することができる。
【００１６】
本発明の別の利点は、ワンピースの衛生バンドは、２つ以上の部品、例えば、ウエストバンド、ベルト、および／またはガードルを使用者が取り付けなければならない構成と比較してより便利な衛生バンドとなることである。後者の種類の構成は、扱いにくく厄介な作業となるが、本発明のワンピース衛生バンドは、容易かつ便利に取り付けられる。
【００１７】
この相対的な単純さにより、本衛生バンドは、製造が単純かつ低コストであるという利点をさらに提供する。さらに、衛生バンドは、柔軟でしなやかであるため、性器の周りに取り付けるのに便利であり、快適であり、かつ下着を身に着けても着けなくても容易に携帯可能である。しなやかな衛生バンドは、使用者の身体構造に適合する形態にすることができ、使用者の快適性にさらに寄与する。さらに、使用していないときは、衛生バンドは、例えば、バッグに入れて容易に携帯可能である。
【００１８】
本発明の別の利点は、衛生バンドを使い捨てとすることができることである。したがって、使用後、衛生バンドを廃棄して、新しい衛生バンドを取り付けることができる。あるいは、衛生バンドは、再使用できるように手または洗濯機で洗濯することができる。
【００１９】
本発明の別の利点は、衛生バンドが、性器の周りに配置されたときに、男性の性器、すなわち陰茎および／または陰嚢を強調できることである。言い換えれば、衛生バンドは、性器を支持する、持ち上げる、および／または押し上げることができ、これにより身体のシルエットに関してより審美的に目立つようにすることができる。
【００２０】
本発明の別の利点は、衛生バンドは、前記男性の性器の周りおよび臀部間に配置されると、たとえ使用者が、身体活動および／または運動、例えば、ランニング、サイクリング、サッカーなどを行っても、所定の位置に維持できることである。本衛生バンドは、使用者が、下着を身に付けずに衛生バンドを装着した場合でも、所定の位置を維持できることである。
【００２１】
用語「バンド」は、本明細書では、細長いバンド、紐、またはストラップなどと解釈することができる。このバンドは、柔軟でしなやかであり、かつ／または容易に曲げることができるため、例えば、バンドのループを容易に形成することができる。さらに、このバンドは、その細長い方向に弾性としても良いし、または逆に、同じ方向に非弾性としても良い。
【００２２】
用語「湿気」は、本明細書では、主として、汗および／または皮膚の体液分泌と解釈することができる。湿気は、例えば、身体活動、神経過敏、発熱、感染などによって股部で発生し得る。しかしながら、他の体液、例えば、微量の尿、精液、および／または血液は、この用語の意味の範囲に含まれ得る。
【００２３】
本衛生バンドは、高い吸収性を有する実質的にいずれの材料とすることもできる吸収材を含む。さらに、衛生バンドは、その構造のため、および／または洗濯によるその再使用のために、例えば、繊維を含み得る。
【００２４】
衛生バンドは、その第１の部分に少なくとも１つの相互接続手段を有する。用語「相互接続手段」は、本明細書では、相互接続および／または固定の任意の手段を意味する。例えば、相互接続手段は、衛生バンドに設けることができる、例えば、衛生バンドの一部を受容するように構成された孔または開口などである。あるいは、相互接続手段は、ループ、ストラップなどの形態で衛生バンドから延ばすことができる。
【００２５】
相互接続手段のさらなる例は、化学接着剤、例えば、膠などとすることができる。あるいは、相互接続手段は、相互接続、例えば、マジックテープなどとすることができる。
【００２６】
相互接続手段が設けられる衛生バンドの第１の部分は、衛生バンドの実質的にいずれの部分でもよい。例えば、衛生バンドの点、部分、またはセグメントなどとすることができる第１の部分を、例えば、衛生バンドの中間、衛生バンドの中央と端部との間、または衛生バンドの端部に設けることができる。
【００２７】
相互接続手段は、衛生バンドの第１の部分と第２の部分との間の相互接続を可能にするために、衛生バンドのループが形成されるように構成されている。したがって、衛生バンドの第１の部分と第２の部分は、衛生バンドの別々の部分であり、衛生バンドのループが形成されるとループの開始点および終点を画定する。言い換えれば、衛生バンドの第２の部分は、ループが形成されるように第１の部分の相互接続手段に相互接続することができる。例えば、相互接続手段が、衛生バンドの一部を受容するように構成された孔、開口、ループ、ストラップなどである場合、衛生バンドの第２の部分は、衛生バンドの実質的にいずれの部分としてもよく、相互接続手段が衛生バンドの一部を受容すると第１の部分と共にループを画定する。
【００２８】
衛生バンドのループは、男性の性器の周りに配置されるように形成される。したがって、衛生バンドのループは、男性の陰茎および／または陰嚢を取り囲むように形成される。このループは、股に沿った性器の周り、すなわち陰茎の根元の周りおよび陰嚢と股との間に配置することができる。あるいは、ループは、例えば、陰茎の周りおよび陰茎と陰嚢の間に配置されるように、単純に陰茎の周りに配置することができる。同様に、ループは、単純に陰嚢の周りに配置することができる。
【００２９】
衛生バンドの少なくとも１つのセグメントは、男性の臀部間、すなわち臀間部に配置されるように構成されている。「セグメント」は、本明細書では、ループの一部であってもはループとは別の部分であってもよい衛生バンドの一部または部品を意味する。例えば、衛生バンドのループは、男性の性器の周りに配置されるように形成することができ、次いで、衛生バンドの少なくとも１つのセグメント（以降、セグメントと呼ぶ）を、男性の臀部間に配置することができる。言い換えれば、性器の周りに形成される衛生バンドのループから、衛生バンドの連続した部分を、臀部間に配置することができる。
【００３０】
本発明の一実施形態によると、衛生バンドのセグメントは、衛生バンドのループとは別である衛生バンドのセグメントとすることができる。言い換えれば、この実施形態では、男性の臀部間に配置されるように構成された衛生バンドのセグメントと、男性の性器の周りに配置されるように形成された衛生バンドのループとの間に重複部が存在しない。例えば、衛生バンドのセグメントは、衛生バンドのループが形成されたときの残りである衛生バンドの部分とすることができる。言い換えれば、衛生バンドのループが形成されると、衛生バンドの第１の端部のセグメントおよび／または衛生バンドの第２の端部のセグメントを、衛生バンドのループの残りの部分として、臀部間に配置することができる。
【００３１】
衛生バンドの１つのセグメントが、衛生バンドのループが形成されたときの衛生バンドの残りの部分である場合、使用者は、このセグメントを臀部間に直接配置することができる。したがって、衛生バンドは、性器の周りに配置される衛生バンドのループから、臀部間に配置することができる残りのセグメントに続いている。
【００３２】
衛生バンドの２つのセグメントが、衛生バンドのループが形成されたときの衛生バンドの残りの部分である場合、使用者は、この２つのセグメントを、例えば、単純に並べてまたは２つのセグメントを編んで、臀部間に配置することができる。
【００３３】
本発明の一実施形態によると、衛生バンドの第１の部分は、衛生バンドの第１の端部に設けることができる。言い換えれば、少なくとも１つの相互接続手段を有する衛生バンドの第１の部分は、衛生バンドの一端に近接して、または隣接して設けることができる。本発明のこの実施形態では、衛生バンドのループは、衛生バンドの第１の端部から作られ得る。言い換えれば、衛生バンドの第１の部分と第２の部分を相互接続してループを形成する場合、衛生バンドの比較的小さい／短い部分またはセグメント、例えば、残りの片（ｓｔｕｍｐ）、小片、または断片などが、衛生バンドの第１の端部に残る。
【００３４】
本発明のこの実施形態では、衛生バンドのループが形成されたときの衛生バンドの形状は、投げ縄などの形状に類似し得る。ループからの衛生バンドの１つのセグメントが残りとなり、このセグメントは、臀部間に配置することができる。
【００３５】
本発明のこの実施形態の利点は、衛生バンドのループが容易に形成されることである。さらに、衛生バンドの第１の部分が、衛生バンドの第１の端部に設けられるため、余分となり得る衛生バンドの部分、および／または主として衛生バンドとして使用されない衛生バンドの部分の発生を防止することができる。
【００３６】
本発明の一実施形態によると、少なくとも１つの相互接続手段は、孔、開口、ループ、ストラップなどとすることができる。例えば、少なくとも１つの相互接続手段が、孔または開口である場合、衛生バンドのループは、衛生バンドの第２の端部を孔／開口に通すことによって形成することができる。言い換えれば、第２の端部は、第１の部分の衛生バンドの長さに対して実質的に垂直な方向において孔に通すことができる。あるいは、少なくとも１つの相互接続手段が、ループまたはストラップである場合、衛生バンドのループは、第２の端部をループ／ストラップに通すことよって、すなわち第１の部分の衛生バンドの長さに対して実質的に平行な方向において、形成することができる。
【００３７】
本発明のこの実施形態の利点は、ループを形成するための第１の部分と第２の部分との間の相互接続のために、他の補助材料および／または化学的固定手段、例えば、膠を一切必要とないことである。したがって、この実施形態は、使用者がさらに容易に使用することができる。さらに、この実施形態は、補助材料／固定手段による、例えば、痒みおよび／または不快感の防止に有利であろう。本発明のこの実施形態の別の利点は、補助材料／固定手段を用いない衛生バンドが、衛生バンドのリサイクルの面で好ましい場合があることである。
【００３８】
本発明の一実施形態によると、衛生バンドのセグメントの少なくとも一部が、衛生バンドの長さを調節できるように構成された少なくとも１つのミシン目を備えることができる。例えば、少なくとも１つのミシン目は、衛生バンドのセグメントの一部を引きちぎることによって衛生バンドの長さを調節できるように、衛生バンドの長さに対して実質的に垂直に設けることができる。
【００３９】
この実施形態は、使用者の泌尿生殖器、肛門周辺部、および／または臀間部の個別の大きさ、および／または衛生バンドの個人的に好ましい使用に対して衛生バンドが適応するという点で有利である。一例として、比較的小さい陰嚢、陰茎、および／または臀間溝（ｉｎｔｅｒｇｌｕｔｅａｌ  ｐａｓｓａｇｅ）を有する使用者は、衛生バンドが長すぎる場合は、衛生バンドの長さを調節する必要があろう。これには、使用者が、性器の周りに配置される衛生バンドのループをきつくすることを好み、これにより比較的長いセグメントが臀部間に配置されることになる場合も当てはまるであろう。あるいは、比較的大きい陰嚢、陰茎、および／または臀間溝を有する使用者は、衛生バンドの長さのわずかな調節のみ、または全く調節しないことを好むであろう。いずれの場合も、少なくとも１つのミシン目は、衛生バンドのセグメントの一部の除去による単純で直観的な個々の使用者のサイズ調節を可能にする。
【００４０】
例えば、少なくとも１つのミシン目を備えた衛生バンドのセグメントの部分は、衛生バンドの全長の約５分の１にすることができる。したがって、衛生バンドの長さは、最大約２０％短縮することができる。しかしながら、例えば、衛生バンドの長さが、最大約５０％短縮できるように、少なくとも１つのミシン目を、衛生バンドのより長い長さに沿って容易に設けることができることに留意されたい。
【００４１】
本発明の一実施形態によると、衛生バンドのセグメントは、男性の臀部間の衛生バンドのセグメントを固定するための接着剤を備えることができる。この実施形態の利点は、衛生バンドのセグメントが、接着剤が全く塗布されていない場合と比較すると使用者の臀部により容易に固着または付着することができるため、衛生バンドが、臀部間の所定の位置により維持されやすいことである。これは、使用者のあらゆる種類の身体活動または運動、例えば、ランニング、サイクリング、サッカーなどの際に特に有利であろう。
【００４２】
あるいは、衛生バンドのセグメントは、衛生バンドの少なくとも一部を使用者の衣類製品、例えば、下着に接着するための接着剤を備えることができる。
【００４３】
本発明の一実施形態によると、吸収材は、セルロース、セルロース毛羽、木材毛羽、綿など、またはこれらの組み合わせから作ることができる。したがって、吸収材は、湿気を吸収する任意の材料、または任意の材料の組み合わせを含み得る。
【００４４】
衛生バンドに提案される吸収材の利点は、使用される衛生バンド材料の質量と比較して極端に多くの湿気を吸収して保持できることである。
【００４５】
この実施形態に推奨される吸収材のさらなる利点は、この吸収材が、柔軟でしなやかであり、使用者の快適さを実現することである。さらに、上記吸収材により、使用していないときに、衛生バンドを簡単に折り畳んで運ぶことができる。
【００４６】
本発明の一実施形態によると、衛生バンドは、医薬品および／または消臭剤をさらに含み得る。
【００４７】
用語「医薬品」は、本明細書では、疾患の治療、処置、または予防のため任意の薬剤を意味する。より詳細には、医薬品は、衛生バンドの少なくとも一部に医薬品を含浸させることができるように液体、ゲル、または軟膏などとすることができる。用語「消臭剤」は、本明細書では、汗の細菌分解によって生じる匂いを除去または低減する任意の物質を意味する。
【００４８】
例えば、衛生バンドの吸収材の少なくとも一部に、医薬品および／または消臭剤を含浸させることができる。
【００４９】
本発明のこの実施形態の利点は、医薬品および／または消臭剤が、泌尿生殖器、肛門周辺部、および／または臀間部における炎症、感染、湿疹性皮疹、発疹、および／または一般的な不快感をさらに予防および／または処置することができることである。
【００５０】
本発明のこの実施形態のさらなる利点は、医薬品および／または消臭剤が、匂いをさらに抑制または低減し、かつ／または良い香りを提供し、使用者の爽快感および／または幸福感を増大させ得ることである。
【００５１】
本発明の一実施形態によると、衛生バンドの幅は、衛生バンドの厚さよりも大きくすることができる。言い換えれば、細長いバンドは、比較的楕円または平坦にすることができる。本発明のこの実施形態の利点は、使用者の性器の周りに取り付けられる衛生バンドのループを形成すると、このバンドの幅が、一側が股に接触し、他側が陰嚢に接触することである。これにより、例えば、丸い衛生バンドと比較して、衛生バンドのより広い面積を、股および陰嚢に配置することができる。さらに、使用者の臀部間に配置されるように構成された衛生バンドのセグメントを比較的楕円にすることができると、セグメントの幅を臀部に向けて配置することができる。これにより、セグメントは、例えば、臀部間のより広い面積の皮膚の離隔を実現することができる。
【００５２】
本発明の一実施形態によると、衛生バンドの長さは、４０〜８０ｃｍの範囲内、例えば、５０〜７０ｃｍの範囲内にすることができる。衛生バンドの長さの上記範囲は、衛生バンドのループの形成にとって十分に長い長さとすることができ、衛生バンドのセグメントを、男性の臀部間に配置されるように構成することができる。衛生バンドにより、使用者の性器の周りおよび臀部間に十分な長さを得ることができるように、例えば、比較的大きい陰嚢、陰茎、および／または臀間溝を有する使用者には、比較的長い長さの衛生バンドが好ましいであろう。しかしながら、衛生バンドの長さが、使用者が長すぎると考える場合は、衛生バンドのセグメントの一部を引きちぎることができるような少なくとも１つのミシン目によって調節が可能である。同時に、衛生バンドの長さの上記範囲は、例えば、バッグに入れて衛生バンドを容易に携帯できるような十分に短い衛生バンドに相当し得る。
【００５３】
本発明の一実施形態によると、衛生バンドの幅は、０．５〜５ｃｍの範囲内、例えば、１〜３ｃｍの範囲内とすることができる。衛生バンドの幅の上記範囲は、衛生バンドが、しなやかであり、男性性器の周りおよび臀部間に便利に配置されるように十分に幅が狭いが、衛生バンドが、その目的、すなわち湿気の吸収に適し得るように十分に幅が広い衛生バンドを実現することができる。
【００５４】
ここで、本発明の上記および他の態様を、本発明の現在好ましい実施形態を示す添付の図面を参照してより詳細に説明する。
【図面の簡単な説明】
【００５５】
【図１】図１は、伸ばされた状態の衛生バンドの図である。
【図２】図２は、衛生バンドのループが形成されたときの衛生バンドの図である。
【図３】図３は、衛生バンドのループが形成されたときの衛生バンドの図である。
【図４ａ】図４ａは、衛生バンドのループの形成方法の略図である。
【図４ｂ】図４ｂは、衛生バンドのループの形成方法の略図である。
【図４ｃ】図４ｃは、衛生バンドのループの形成方法の略図である。
【図５】図５は、衛生バンドの代替の実施形態の略図である。
【図６】図６は、男性使用者に装着された衛生バンドの略図である。
【発明を実施するための形態】
【００５６】
以下の説明では、湿気を吸収するために男性によって使用される衛生バンドに関連して本発明を説明する。
【００５７】
図１は、伸ばされた状態にある衛生バンド１００の図であり、衛生バンド１００の長さ１０１は、約５０〜７０ｃｍである。さらに、衛生バンド１００の幅１０２は、約１〜３ｃｍである。衛生バンド１００の厚さは、一般に、幅１０２よりもやや小さく、実質的に平坦な形状または楕円形の衛生バンド１００となる。しかしながら、衛生バンド１００は、実質的に丸い形状で実現することもできる。
【００５８】
衛生バンド１００は、湿気を吸収するように構成された吸収材、例えば、セルロース、セルロース毛羽、木材毛羽、綿など、またはこれらの組み合わせを含み得る。
【００５９】
衛生バンド１００は、その第１の部分１０６に孔／開口１０５の形態の接続手段を有し、この孔１０５は、衛生バンド１００の長さ１０１に対して平行でやや細長い。より詳細には、図１に示されている衛生バンド１００の実施形態では、第１の部分１０６は、衛生バンド１００の第１の端部１０７に設けられている、すなわち孔１０５は、衛生バンド１００の端部の近傍に設けられている。孔１０５は、衛生バンド１００の第１の部分１０６と第２の部分１０８との間の相互接続を可能にするように構成されている。第２の部分１０８は、衛生バンド１００の長さ１０１に沿って実質的にいずれの部分にも設けることができるが、図１では、衛生バンド１００のほぼ中間に設けられている。
【００６０】
図１の衛生バンド１００の実施形態では、３対の穿孔１０９が、衛生バンド１００の長さ１０１に沿って対称に分布している。穿孔１０９は、衛生バンド１００内に空気が閉じ込められるのを防止するために設けることができる。
【００６１】
少なくとも１つのミシン目１１０が、衛生バンド１００の長さ１０１を調節できるように衛生バンド１００のセグメント１１２の部分１１１に設けられている。この少なくとも１つのミシン目１１０は、図１では、衛生バンド１００の第２の端部１１３から衛生バンド１００の全長１０１のほぼ５分の１まで螺旋状に延びている。あるいは、少なくとも１つのミシン目１１０は、衛生バンド１００の長さに対して垂直な、衛生バンド１００の長さ方向に離間した、衛生バンド１００の周りの複数のミシン目１１０として設けることができる。
【００６２】
図２は、衛生バンド１００の第２の端部１１３が、衛生バンド１００の第１の部分１０６にある孔１０５を貫通したときの衛生バンド１００の上面図である。ここでは、衛生バンド１００の第１の部分１０６と第２の部分１０８との間の相互接続によりループ１１４が画定されている。言い換えれば、ループ１１４は、第１の部分１０６から始まり、第２の部分１０８で終端している。したがって、第２の部分１０８は、第２の部分１０８の位置によって可変ループ１１４が画定されるため、衛生バンド１００の長さに沿った実質的にいずれの位置ともすることができる。
【００６３】
ループ１１４は、男性使用者の性器、すなわち陰茎および／または陰嚢の周りに配置されるように構成されている。ループ１１４は、小さくしたり大きくしたりすることができるため、使用者は、自身の陰茎／陰嚢の大きさおよび／または自身の好む快適さに合わせて衛生バンド１００のループ１１４の大きさを調節することができる。衛生バンド１００のセグメント１１２は、使用者の臀部間に配置されるように構成されている。セグメント１１２は、第２の端部１１３と第２の部分１０８との間の衛生バンド１００の任意の部分、すなわち第２の端部１１３および第２の部分１０８によって画定される任意の部分を、使用者の臀部間に配置することができる。言い換えれば、セグメント１１２は、衛生バンド１００のループ１１４とは別にすることができる。あるいは、セグメント１１２は、例えば、衛生バンド１００のループ１１４の一部とすることができる、すなわちループ１１４の一部を臀部間に配置することもできる。
【００６４】
図３は、衛生バンド１００の第２の端部１１３が、衛生バンド１００の第１の部分１０６にある孔（不図示）を通過してループ１１４が形成されたときの衛生バンド１００の側面図である。図２に示されている衛生バンド１００の具現と比較して、図３の衛生バンド１００は、ループ１１４の外周が、第１の部分１０６と第２の部分１０８との相互接続部と第２の端部１１３との間の衛生バンド１００のセグメント１１２とほぼ同じ長さを有するように締め込まれている。
【００６５】
図４は、衛生バンド１００のループ１１４の形成方法の略図である。図４ａでは、衛生バンド１００は、その伸ばされた形態で示され、孔１０５が、衛生バンド１００の第１の部分１０６に設けられている。図４ｂでは、衛生バンド１００のループ１１４の形成が開始され、衛生バンド１００が、ほぼ円を形成し、衛生バンド１００の第２の端部１１３は、孔１０５に向いている。図４ｃでは、衛生バンド１００の第２の端部１１３が、衛生バンド１００の孔１０５を通過し、これにより男性性器の周りに配置されるように構成されたループ１１４が形成され、衛生バンド１００のセグメント１１２が、男性の臀部間に配置されるように構成されている。
【００６６】
図５は、衛生バンド１００の略図であり、本発明の代替の実施形態が示されている。図５では、孔１０５が、第１の端部１０７と衛生バンド１００の中央とのほぼ中間に配置された第１の部分１０６に設けられている。このように、衛生バンド１００のループ１１４が形成されると、衛生バンド１００の２つのセグメント１１２が、男性の臀部間へ配置されるように形成される。２つのセグメント１１２は、男性の臀部間に、例えば、単に並べて配置することができる。あるいは、図５に示されているように、２つのセグメント１１２を編んでも良い。
【００６７】
図６は、男性使用者に装着された衛生バンド１００の略図である。衛生バンド１００のループ１１４は、使用者の男性性器１１６、すなわち陰嚢１１７および陰茎１１８の周りに配置されている。より詳細には、図６に示されているように、衛生バンド１００のループ１１４は、衛生バンド１００の第１の端部（第１の部分１０６）から延びて、性器１１６と下腹部１１９との間、すなわち陰茎１１８の根元の周りおよび陰嚢１１７と股との間を経て、衛生バンド１００の第１の端部（第１の部分１０６）にある孔１０５に挿入されている。衛生バンド１００のセグメント１１２、すなわち少なくとも衛生バンドのループ１１４の残りの部分は、使用者の臀部１２０間に配置することができる。
【００６８】
本発明は、その特定の実例となる実施形態を参照して説明してきたが、当業者には、多くの様々な変更形態および改良形態などが明らかになるであろう。したがって、説明した実施形態は、添付の特許請求の範囲によって規定される本発明の範囲を限定することを意図するものではない。
【００６９】
例えば、衛生バンド１００は、パッドのような形状をとることができるように、図面に示されているものよりも平坦な形状を有することができる。さらに、孔１０５は、円形または長方形に代えることができ、かつ／または図面の実施形態と比較してより小さく、または大きくすることができる。
【００７０】
本発明の代替の態様として、相互接続手段は、衛生バンド１００の少なくとも一部を受容するように構成された衛生バンド１００から分離可能な手段、例えば、リングなどとすることができる。例えば、衛生バンド１００の第１の部分１０６と第２の部分１０８との間の相互接続手段は、衛生バンド１００の２つのセグメント１１２が挿入されるリングとすることができる。本発明のこの代替の態様では、ループ１１４の大きさは、リングによって調節することができる。例えば、使用者が、ループ１１４を性器１１６の周りにより密着させることを好む場合は、リングを上に持ち上げて、ループ１１４の大きさを小さくすることができる。
【図１】
0005936202.tif 000002
【図２】
0005936202.tif 000003
【図３】
0005936202.tif 000004
【図４ａ】
0005936202.tif 000005
【図４ｂ】
0005936202.tif 000006
【図４ｃ】
0005936202.tif 000007
【図５】
0005936202.tif 000008
【図６】
0005936202.tif 000009